Podtech/llm-jp-corpus-v4-ja_patent huggingface dataset:
(57)【要約】      （修正有）【課題】毛布の首部分がういてしまうため、肩口が冷えてしまう不都合の解消等。【解決手段】毛布の上部分に、ファスナー１，２により着脱可能な、首回りの形をくりぬいた毛布４を付けることによりこの課題を解決する。【選択図】図１
0003122629.tif 000002
【実用新案登録請求の範囲】
【請求項１】
毛布の上部に首部分をくりぬいた毛布をファスナーでとりつけた毛布
【考案の詳細な説明】
【技術分野】
【０００１】本考案は毛布を使用時の保温に関する。
【背景技術】
【０００２】従来の毛布では、上掛け布団にそった、長方形の形をしていた。【０００３】しかしこれでは肩口が冷え、寒い【０００４】そこで毛布の上部分に肩口をふさぐ形の毛布を作り、ファスナーにより、着脱できるように考案した（図１）
この肩冷防止毛布により、布団内の暖かい空気が外に出にくくなるのである。【０００５】よって本考案の肩冷防止毛布により、寒い時期の寝具として、より保温性が高まる。また着脱できることにより、首回りの小さい毛布の洗たくが容易で清潔である。また気温によって、はずしても使用できるので、長期間使える。
【考案を実施するための最良の形態】
【０００６】本考案に係る肩冷防止毛布４は、図１に示すように、首回りをくりぬいた形５のものでファスナー２と毛布３のファスナー１とで着脱できるようにする。そざいは肌ざわりのよいもので、家庭での洗濯に耐えられるもの。
【図面の簡単な説明】
【０００７】
【図１】本考案に係る肩冷防止毛布と毛布本体の図である。
【図２】従来の毛布である
【図３】本考案による肩冷防止毛布と本体の毛布をつけた時の図である。
【符号の説明】
【０００８】１．左ファスナー部分
２．右ファスナー部分
３．毛布本体
４．肩冷防止部分毛布
５．首回りくりぬき部分
【図１】
0003122629.tif 000003
【図２】
0003122629.tif 000004
【図３】
0003122629.tif 000005
(57)【要約】      （修正有）【課題】現在販売されているハサミは、先端部分がほとんど刃の部分と同一になっており、幼児が使用するとき怪我の危険性がある。ハサミの先端部分より、刃の部分を窪ませることにより、安全性を高めた幼児用安全ハサミの提供。【解決手段】ハサミの先端の刃の部分をハート型曲線により窪みをつけ、ハサミ特有の刃の鋭角な部分をなくした。【選択図】図１
0003122622.tif 000002
【実用新案登録請求の範囲】
【請求項１】
ハサミの先端の刃の部分をハート型曲線により窪みをつけ、ハサミ特有の刃の鋭角な部分をなくす特長の考案。
【考案の詳細な説明】
【技術分野】
【０００１】幼児が、ハサミを使用する際の安全性を高めることに関するものである。
【背景技術】
【０００２】従来の幼児用のハサミは、先端の部分が円形にデザインされているだけである。
【考案が解決しようとする課題】
【０００３】従来の幼児用のハサミは、先端の部分が刃の先端と同位置になっているため、ハサミを開いた状態のとき刃の先端で怪我をする可能性がある。
【問題を解決するための手段】
【０００４】幼児用のハサミの先端部分と、刃の先端部分との位置を変えることである。
【考案の効果】
【０００５】幼児用のハサミの先端部分と刃の先端部分との位置を変えることにより、使用中に刃の先端が刺さることや、開いた状態で、刃によって幼児の皮膚に切り傷を負わすことが回避することができるのである。
【考案を実施するための最良の形態】
【０００６】使用の方法は、従来と変わりないが、幼児が、ハサミを持ち回しているとき、転倒してもハサミの先端で突き刺す心配がなく、幼児が、ハサミを振り回しても、刃の部分が先端になっていないため、刃による切り傷を回避できるものである。考案のきっかけは、私の孫が、保育園でハサミを振り回して他人に怪我をさせてしまったことを考え、考案したものである。
【図面の簡単な説明】
【図１】ハサミの先端をハート型にしてはさみを閉じた状態の図である。
【図２】図１の開いた状態の図である。
【図３】図１を真横から見た図である。
【符号の説明】
Ａ点はハサミの先端部分。Ｂ点は刃の先端部分。
ハサミの先端をハート型の曲線で構成。
【図１】
0003122622.tif 000003
【図２】
0003122622.tif 000004
【図３】
0003122622.tif 000005
【手続補正書】
【提出日】平成18年3月14日(2006.3.14)
【手続補正１】
【補正対象書類名】実用新案登録請求の範囲
【補正対象項目名】全文
【補正方法】変更
【補正の内容】
【実用新案登録請求の範囲】
【請求項１】
ハサミの先端の刃の部分をハート型曲線により窪みをつけハサミ特有の刃の鋭角な部分をなくす事を特長とする幼児用安全ハサミ
(57)【要約】      （修正有）【課題】蒸気ボイラーの破裂や、火災の危険のない安全で安価な蒸気機関車模型を提供する。【解決手段】駆動のために最低限必要な圧力に保持された低圧用途の低圧空気貯蔵タンク１と、走行距離に応じて必要な空気量を圧力で効率よく確保すべく高圧用途の高圧空気貯蔵タンク３とに分け、低圧用途の貯蔵タンク１をボイラーと置き換えるべく設置した。高圧タンク３においては機関車に牽引される車輌内に安全で且つ模型として制約を受けない自由スペースに設置した。【選択図】図１
0003122637.tif 000002
【実用新案登録請求の範囲】
【請求項１】
蒸気機関車のボイラー装置に換え、機関車に低圧空気貯蔵タンクを設け、これと直列に調圧器と機関車に牽引される車輌に高圧空気貯蔵タンクを設け、この列車編成と独立して高圧空気貯蔵タンクに供給するための空気圧縮機を設けたことを特徴とする圧縮空気駆動式蒸気機関車模型。
【請求項２】
前記低圧空気貯蔵タンクの圧力回路に機関車を運転制御する為の加減弁、制動弁、汽笛弁を設けたことを特徴とする請求項１に記載した圧縮空気駆動式蒸気機関車模型。
【考案の詳細な説明】
【技術分野】
【０００１】運転者が乗車したり，乗客をのせた客車を引いて楽しむ大形蒸気機関車模型に関するものである。
【背景技術】
【０００２】従来より、蒸気機関車の模型として、石炭やガスを焚き、ボイラー内の水を沸騰させ、これによって得られる蒸気により、蒸気エンジンを駆動する実物の蒸気機関車と同じ原理・構造を模した蒸気機関車模型に関する。
【考案の開示】
【考案が解決しようとする課題】
【０００３】これは次のような欠点があった。
（イ）実物と同じように、石炭やガスを焚くことより、煙突や灰箱からの火の粉飛散による沿線火災事故や、ガス炊きでは不完全燃焼によるガス爆発、さらにボイラーの空焚きや腐食、更に、安全弁不具合等によるボイラー破裂の危険性も実物と同様にある。
（ロ）このような危険性を回避する為、ボイラー及び圧力容器として法令に準拠すべき製造上、運転上の技術的な問題も多く、アマチュアが運転保守する鉄道模型としては難点がある。
（ハ）耐熱高圧容器であるボイラー等は水に対する耐食を増す為、厚肉鋼板構造や厚肉銅板構造であり、実物と全く同じように重量構造となっている。
従って、模型であっても運搬には揚荷設備、線路基礎としてコンクリート敷設等、付帯設備の規模、コストも大きな問題である。
本考案は以上の欠点を解決するために考案されたものである。
【課題を解決するための手段】
【０００４】図１に示すように、駆動のために最低限必要な圧力に保持された低圧用途の低圧空気貯蔵タンク（１）と、走行距離に応じて必要な空気量を圧力で効率よく確保すべく高圧用途の高圧空気貯蔵タンク（３）とに分け、低圧用途の貯蔵タンク（１）をボイラーと置き換えるべく設置した。
一方、高圧タンク（３）においては機関車に牽引される車輌内に安全で且つ模型として制約を受けない自由スペースに設置した。
また図２に示すように、高圧タンク（３）の圧力が低圧タンク（１）の圧力を超えて保持されている定常運転状態では、調圧器（２）により低圧タンク（１）の空気圧は一定圧に制御されることから低圧タンク（１）の圧力を運転制御圧力とし機関車の速度調整をする加減弁（４）や機関車に牽引される車輌に空気を送り制動シリンダー（９）を介し、制動装置（８）を作動させる制動弁（５）、汽笛（１０）を鳴らすための空気開閉弁としての汽笛弁（６）を設けた制御回路を設置した。
【考案の効果】
【０００５】  当発明は常温の低圧空気を駆動源とする事で、火の取り扱いに起因する火災事故やボイラー破裂による火傷の危険性が解決される。
更に主要構造部であるボイラー部を、アルミ等の軽量金属や、合成樹脂材料等の市販形状部品で製作することが可能となり、模型としてのモデル化の自由度が拡大できるのみならず、蒸気機関車としての重厚感や、シリンダーへの給排気音や汽笛などの臨場感、また、安定した運転性能を失うことなく、模型としての構造の簡素化、軽量化が図れる。従って、製作も容易となり安価に提供する事が可能となる。    また、必要不可欠な運搬具、揚荷設備、線路等の付帯設備や線路敷設の基礎工事も大幅に簡略化されるなど波及効果も大きい。
【考案を実施するための最良の形態】
【０００６】以下、本考案の実施の形態を説明する。
（イ）機関車のボイラー部に合成樹脂材料で製作された低圧タンク（１）を設けた。
（ロ）機関車に牽引される車輌前部に低圧タンク（１）の圧力を一定に維持すべく減圧弁（２）を設け、さらに、運転者や乗客に支障のない安全で且つ模型として制約を受けない自由スペースに高圧タンク（３）設置した。
（ハ）この列車編成の高圧タンク（３）に、外部より圧縮空気を充填する為、空気圧縮機（１５）を定置して設け、充填後、配管を容易に切り離せるよう、クイックカップラーオス（１３）とメス（１４）による接続、切り離し部を設けた。
（ニ）低圧タンク（１）圧力を制御圧（１１）として加減弁（４）を運転速度の調整のため、また、制動操作のたに制動弁（５）を設け、更に、汽笛弁（６）を設ける運転制御回路とした。
（ホ）制動装置は車輌に回転可能に支持され、空気を送る事により、線路上面に制動シリンダー（９）により回転押し付けされて制動される。
（ヘ）低圧タンク（１）圧力は０．１〜０．２ＭＰａ，高圧タンク（３）０．５〜０．７ＭＰａで十分な航続距離２５０ｍと安定した運転制御が得られた。
【図面の簡単な説明】
【０００７】
【図１】  本考案の装置断面図
【図２】  本考案の運転制御回路図
【符号の説明】
【０００８】  １  低圧タンク
２  減圧弁
３  高圧タンク
４  加減弁
５  制動弁
６  汽笛弁
７  シリンダー
８  制動装置
９  制動シリンダー
１０  汽笛
１１  低圧部圧力計
１２  高圧部圧力計
１３  クリックカップラーオス
１４  クリックカップラーメス
１５  空気圧縮機
【図１】
0003122637.tif 000003
【図２】
0003122637.tif 000004
(57)【要約】      （修正有）【課題】敷き鉄板の表面が雨水や土砂等でぬれていたり油分が付着している場合、歩行者の靴底や、車輌のタイヤ等と敷き鉄板の間の薄水膜や土砂膜や油膜による滑りやすく危険な状態を解消する。【解決手段】敷き鉄板２の表面に多数の突起物４を有する。【選択図】図１
0003122634.tif 000002
【実用新案登録請求の範囲】
【請求項１】
表面に多数の突起物を有した敷き鉄板
【請求項２】
表面が凹凸になっている敷き鉄板
【考案の詳細な説明】
【技術分野】
【０００１】  本考案は仮設工事等に使用する、滑り止め付き敷き鉄板に関する。
【背景技術】
【０００２】  従来の敷き鉄板には表面に突起物等がない。
【考案の開示】
【考案が解決しようとする課題】
【０００３】  しかしこれでは表面が雨水や土砂等で濡れたり、油分が付着している場合、歩行者の靴底や車輌のタイヤと敷き鉄板の間の薄水膜や、土砂膜や、油膜によりすべりやすく危険である（図２）
【課題を解決するための手段】
【０００４】  そこで表面に多数の突起物を有することにより、歩行者の靴底や、車輌のタイヤが、直接  薄水膜や、土砂膜や、油膜に接することがない、滑り止め付き敷き鉄板を、考案した（図１）
【考案の効果】
【０００５】  よって、本考案の滑り止め付き敷き鉄板を使用することにより、歩行者の靴底や、車輌のタイヤは、突起物の上に乗ることにより、直接敷き鉄板上の薄水膜や、土砂膜や、油膜に接することがないので滑りにくくなり安全に通行することができる。
【考案を実施するための最良の形態】
【０００６】  本考案に係る滑り止め付き敷き鉄板は、図（１）に示すように突起物を有している敷き鉄板である。突起物の間隔及びその高低差は歩行者がひっかからない程度がよい。
【図面の簡単な説明】
【０００７】
【図１】  本考案に係る滑り止め付き敷き鉄板を、使用している状態の断面図である。
【図２】  従来の敷き鉄板の断面図である。
【符号の説明】
【０００８】  １    タイヤ
２    敷き鉄板
３    薄水膜等（土砂膜、油膜）
４    突起物
【図１】
0003122634.tif 000003
【図２】
0003122634.tif 000004
(57)【要約】      （修正有）【課題】郊外で大きな風船や浮輪を膨らませる事。【解決手段】１２Ｖバッテリーを電源として１２Ｖモーター４とファン３の組合せで郊外で大きな風船や浮輪を膨らませる事が出来る。【選択図】図１
0003122632.tif 000002
【実用新案登録請求の範囲】
【請求項１】
１２Ｖのバッテリーを電源とし１２Ｖ用モーターとファンをケース内で組合せ風を送る事を目的とした１２Ｖ用携帯用送風器とする
【考案の詳細な説明】
【技術分野】
【０００１】１２Ｖ用モーターと送風用ファンをケース内で組合せる．
【背景技術】
【０００２】郊外で大きな風船．浮輪を膨らませる事が出来る．
【考案の開示】
【考案が解決しようとする課題】
【０００３】郊外で大きな風船．浮輪を膨らませる事
〔課題が解決する為の手段〕【０００４】１２Ｖ用バッテリーを電源として１２Ｖ用モーターと送風用ファンを組合せる事で送風することが出来る．
【考案の効果】
【０００５】郊外で大きな風船．浮輪を膨らませる事が出来る．
〔考案の実施するための最良の形態〕【０００６】手の平に入る円管形のケース．
【実施例】
【０００７】円管形ケースにモーター．ファンを直列にならべたもの
【図面の簡単な説明】
【０００８】
【図１】１２Ｖ用携帯送風器の全体図．
【符号の説明】
【０００９】▲１▼  ケース本体
▲２▼  送風口
▲３▼  送風用ファン
▲４▼  １２Ｖモーター
▲５▼  押しボタン式スイッチ
▲６▼  風入口
▲７▼  ケースカバー
【図１】
0003122632.tif 000003
(57)【要約】      （修正有）【課題】電子機器一式を適正に設置することのできる什器の選定、準備の手間を省くこと、構成する機器一式を過不足なく取揃えが可能であること、機器を安定して設置できること、不使用時の保管や運搬のときは最小の形状とすること、運送コストの低減化を図ること。【解決手段】電子機器の設置用台の本体を軽合金製ケース状筐体とし、上面を機器設置の用に供し、底面にスライドできるプリンタ台を取付け、ケース内に収納した脚を嵌合して構成する。ケースには自在ヒンジを取付けた蓋を設け、内部に設置用台の脚、電源コンセント用電源ケーブル及び電子機器本体とそれに付属する部品類一式を収納する。移動、運搬のため、ケース状筐体の底面には、伸縮可能な移動用把手を取付け、把手に対向する筐体側面には、キャスタとゴム足を取付ける。【選択図】図１
0003122635.tif 000002
【実用新案登録請求の範囲】
【請求項１】
上面をパソコン等の電子機器を設置固定する平面とし、底部には収納展開可能なプリンタ台と運搬時に使用する伸縮可能な移動用把手を取付け、底部の四隅に脱着可能な４本の脚を取付け、側面に電源コンセントと運搬保管時に使用するキャスタとゴム足を取付け、且つ開閉可能なケースの内部にコンセント用電源ケーブル、取外した状態の脚及び上部に設置するべき電子機器とその付属品等を収納できる軽合金製の可搬型電子機器設置台ケース。
【考案の詳細な説明】
【技術分野】
【０００１】    本考案は、移動、設置、保管が容易な可搬型電子機器設置台ケースに関するものである。
【背景技術】
【０００２】    事務所や店舗において、特定の電子機器一式を設置して運用可能状態にする場合、設置台の準備、構成する機器の選択と設定、電源の準備を一元的に可能とし、短時間に過不足なく接続設定設置を可能とする什器を兼ねるケースが見当たらなかった。【０００３】    特定の電子機器一式を、他の事務所、店舗等に転用、保守、保管する場合の運搬、輸送を一式洩れなく簡便容易に可能な什器を兼ねるケースが見当たらなかった。
【考案の開示】
【考案が解決しようとする課題】
【０００４】    解決しようとする点は、電子機器一式を適正に設置することのできる什器の選定、取得の手間を省くこと、構成する機器一式を過不足なく取り揃えること、不使用時の保管や運搬のときは最小の形状であること、運送コスト、保管コストの低減化を図ることである。
【課題を解決するための手段】
【０００５】    電子機器の設置用台の本体を軽合金製ケース状筐体とし、上面を機器設置固定する平面とし、底面にスライドできるプリンタ台を取付け、ケース状筐体内に収納した４脚を嵌合して電子機器設置台を構成する。【０００６】    ケース状筐体には自在ヒンジを取付けた蓋を設け、内部に設置用台の脚、電源コンセント用電源ケーブル及び電子機器本体とそれに付属する部品類一式を収納する。【０００７】    移動、運搬に適した構造とするため、ケース状筐体の底面には、スライド式のプリンタ台に向い合う形で伸縮可能な移動用把手を取付け、把手に対向する筐体側面には、キャスタとゴム足を取付ける。
【考案の効果】
【０００８】    上記、課題を解決する手段を具体化することにより、可搬型電子機器設置台ケースを手早く機器設置台として組立て、上部に電子機器を所定の機能状態に設置設定することができる。また、プリンタ台をスライドして展開できる。更に、電源ケーブルを伸長することによって電子機器の設置設定が手早く完了する。【０００９】    移動、運搬する場合は、電子機器一式、脚、電源ケーブルを可搬型電子機器設置台ケース内部に収納し、プリンタ台をスライドして収納し、移動用把手は不使用の場合は、収納し、使用する場合は伸長して使用することができる。【００１０】    当該電子機器を保管、収納する場合は、上面を開いて取り外した脚部と共に収納することにより、保管容積を最小化することができる。
【利用可能性】
【００１１】    可搬型電子機器設置台ケースは、電子機器以外の機器類についても収納、展開、保管のために利用可能である。
【図面の簡単な説明】
【００１２】
【図１】上方側面斜視図  可搬型電子機器設置台ケースの展開設定状態を示す。
【図２】プリンタ台収納状態  上方側面斜視図
【図３】収納状態  上方斜視図（１）  プリンタ台側を示す。
【図４】収納状態  上方斜視図（２）  移動用把手側を示す。
【図５】移動状態図
【図６】ケース内部概念図    ケース内部の収納状況概要図
【符号の説明】
【００１３】  １    自在ヒンジ
２    ゴム足
３    キャスター
４    プリンタ台
５    脚
６    ケース本体
７    ダイヤルロック平面ハンドル
８    コンセント
９    移動用把手
１０  脚取付部
１１  ケーブル
１２  仕切板
【図１】
0003122635.tif 000003
【図２】
0003122635.tif 000004
【図３】
0003122635.tif 000005
【図４】
0003122635.tif 000006
【図５】
0003122635.tif 000007
【図６】
0003122635.tif 000008
(57)【要約】      （修正有）【課題】蓄光物質の粒の大きさを３ｍｍから５ｍｍとすることにより、目視による明るさが、他の大きさより優れており、かつ長時間発光する発光体を提供する。【解決手段】蓄光物質の大きさが約３ｍｍから約５ｍｍとしてなることを特徴とする発光体。発光体１は、蓄光物質２の粒の大きさを約３ｍｍから約５ｍｍとし、バインダーＢにて接着し、上下２面を透明なポリカーボネート板３・３でサンドイッチ状に形成してなるものである。【選択図】図１
0003122636.tif 000002
【実用新案登録請求の範囲】
【請求項１】
蓄光物質の大きさが約３ｍｍから約５ｍｍとしてなることを特徴とする発光体。
【請求項２】
蓄光物質を少なくとも一面を透明な板でサンドイッチ状に形成したことを特徴とする請求項１記載の発光体。
【考案の詳細な説明】
【技術分野】
【０００１】  本考案は、蓄光物質を効率よく発光させるための発光体に関するものである。
【背景技術】
【０００２】  従来の技術として、板材上面の少なくとも前面側の中央箇所付近、及び又は両端箇所付近に対し、深さが０．５ｍｍ〜２ｍｍ程度、縦及び横の寸法が０．５ｃｍ〜３ｃｍ程度になした凹部を設け、該凹部に対し４００ミクロン〜６００ミクロン程度の蓄光性機能セラミックを透明な樹脂或いは透明な塗料に混ぜ合わせて埋め込んだことを特徴とする階段用踏み板がある。（特許文献１参照）
【特許文献１】  実用新案登録第３０８４６４２号
【考案の開示】
【考案が解決しようとする課題】
【０００３】  上記従来の技術においては、４００ミクロンから６００ミクロンの大きさの蓄光性機能セラミックを使用してなるものであるが、目視による輝度（明るさ）は低いものである。【０００４】  本考案は、従来の問題点に鑑みなされたもので、蓄光物質の粒の大きさを３ｍｍから５ｍｍとすることにより、目視による明るさが、他の大きさより優れており、かつ長時間発光する発光体を提供することを目的とする。
【課題を解決するための手段】
【０００５】  本考案は、上記目的を達成する手段として、蓄光物質の大きさが約３ｍｍから約５ｍｍとしてなる。
また、蓄光物質を少なくとも一面を透明な板でサンドイッチ状に形成したことを特徴とする。
【考案の効果】
【０００６】１）、蓄光物質の粒の大きさを約３ｍｍから約５ｍｍとすることにより、輝度（明るさ）を高め、かつ発光時間を延ばすことができる効果がある。目視テストにおいて一番高い評価を得た。
２）、２面を透明なポリカーボネート板でサンドイッチ状に形成することにより、両面より発光させることができる効果がある。
【考案の実施するための最良の形態】
【０００７】  発光体１は、蓄光物質２の粒の大きさを約３ｍｍから約５ｍｍとし、バインダーＢにて接着し、上下２面を透明なポリカーボネート板３・３でサンドイッチ状に形成してなるものである。
【０００８】  上記発光体１の使用例について述べる。
例えば、室内の通路に埋め込んで使用する時、ポリカーボネート板３を通過した光Ｈが約３ｍｍから約５ｍｍの蓄光物質２に効率よく蓄積され、かつ効率よく発光Ｔすることができるため非常時の光源として有効である。
また、間仕切り壁に埋め込むことにより、両側から確認することができる。
【０００９】  なお、上記実施例において発光体の大きさや使用場所等は特に限定するものではない。
また、ポリカーボネート板以外にアクリル板等を使用してもよい。
【図面の簡単な説明】
【００１０】
【図１】本考案の一実施例を示す発光体の正面図。
【図２】本考案の一実施例を示す発光体の使用状態図。
【符号の説明】
【００１１】１−−−発光体
２−−−蓄光物質
３−−−ポリカーボネート板
Ｂ−−−バインダー
Ｈ−−−光
Ｔ−−−発光
【図１】
0003122636.tif 000003
【図２】
0003122636.tif 000004
(57)【要約】      （修正有）【課題】ターミナルを咬んだクリップが容易にはずれないようにしたクリップを提供する。【解決手段】クリップの真ん中にスプリングで付けた円柱形の筒がバッテリータミナルをはずすと同時にターミナルの中に筒が入ることにより咬んでいるクリップが安定することが出来る。【選択図】図１
0003122631.tif 000002
【実用新案登録請求の範囲】
【請求項１】
車のバッテリーを脱着する時に使用するバックアップ電源用のクリップでクリップの真ん中にスプリングで円柱形の筒を取り付けたクリップでバックアップ用クリップとする．
【考案の詳細な説明】
【技術分野】
【０００１】車のバッテリーを脱着する時に使用するものでバックアップ電源のクリップで容易にはずれないようにしたクリップです
【背景技術】
【０００２】車のバッテリーコードをはずす時にバッテリーのポールがターミナルコードから抜けると同時にクリップの真ん中にスプリングで付いている円柱形の筒がターミナルの中にはいることによりターミナルを咬んでいるクリップが安定する．
【考案の開示】
【考案が解決しようとする課題】
【０００３】車のバッテリーが付いている場所により普通のクリップではバッテリーを脱着する時にクリップがはずれやすい為．
〔課題が解決する為の手段〕【０００４】車のバッテリーコードをはずすと同時にターミナルを咬んでいるクリップの真ん中に付いている円柱形の筒がスプリングでおされターミナルの中に入ることで咬んでいるクリップが安定される．
【考案の効果】
【０００５】バックアップ電源がはずれない為に車のモニターデジタル、セキュリティーに支障が出ない．
〔考案の実施する最良の形態〕【０００６】クリップの真ん中にスプリングで円柱形の筒を付けたもの．
【実施例】
【０００７】クリップがターミナルを咬んで容易にはずれないもの．
【図面の簡単な説明】
【０００８】
【図１】クリップの真ん中にスプリングで円柱形の筒を作る．
【符号の説明】
【０００９】▲１▼  クリップ本体
▲２▼  スプリング
▲３▼  円柱形の筒
▲４▼  バッテリーターミナル
▲５▼  バッテリーのポール
【図１】
0003122631.tif 000003
(57)【要約】【課題】最近の携帯は薄くて小さくなり、片手が使えない場合、耳と肩ではさみにくく、メモをとる時など不便である。そんな時に、通話しながら同時に、メモをとるなど他の作業をすることが可能になる、はめこみ型の携帯電話機用の耳かけ装置を提供する。【解決手段】耳かけ具を、携帯電話機のメインディスプレイ側の上部の曲線にそってはめこむ型で、メインディスプレイの下の方の側面に設置することにより、携帯電話機の開閉時にも邪魔にならず、使用時には簡単に指で前に取り出せ、収納時も指で押すだけといったことを特徴と有する携帯電話機用耳かけ装置。【選択図】図１
0003122638.tif 000002
【実用新案登録請求の範囲】
【請求項１】
耳かけ具を携帯電話機のメインディスプレイ側の上部の曲線にそってはめこむ形でメインディスプレイの下の方の側面に設置することにより、携帯電話機の開閉時にも邪魔にならず、使用時には簡単に指で前に取りだせ、収納時も指で押すだけ、というのを特徴と有する携帯電話機用耳かけ装置。
【考案の詳細な説明】
【技術分野】
【０００１】本考案は携帯電話機に、はめこみ型の耳かけ具を設置した、耳かけ装置に関するものである。
【背景技術】
【０００２】最近の携帯は軽量化により薄くなり、片手が使えない場合、耳と肩ではさみにくく、メモをとる時など不便である。
【考案の開示】
【考案が解決しようとする課題】
【０００３】携帯電話機に耳かけ装置を設置することにより、携帯で通話しながら同時に、メモをとるなど、他の作業などをすることが可能になり、前述の欠点を解決しようとするものである。
【課題を解決するための手段】
【０００４】耳かけ具を、携帯電話機のメインディスプレイ側の上部の曲線にそってはめこむ形で、メインディスプレイの下の方の側面に設置することにより、携帯電話機の開閉時にも邪魔にならず、使用時には簡単に指で前に取りだせ、収納時も指で押すだけといったことを特徴と有する携帯電話機用耳かけ装置。
【考案の効果】
【０００５】上述の様に、本考案の携帯電話機用耳かけ装置は、会話の内容を正確にメモをとることが可能であり、料理中や作業中にも動作と並行して対応できることにより、両手がふさがっているときに役立つ。
【考案を実施するための最良の形態】
【０００６】耳かけは、メインディスプレイ周辺にはめこむ形で装着するため、普段、携帯電話を使用するときには邪魔にならず、また電話機にそって曲線を描くことによって十分な安定性が得られる、簡単な操作で素早く、耳かけ具を使用時の状態にすることができるようになる。
【実施例】
【０００７】以下、添付図面に従って実施例を説明する。耳かけは耐欠性のプラスチック等便宜素材にて、一体化形成された耳かけ本体、１は耳かけが開閉できるように装着した部分、２は使用する時に手で前に取りだす突起部分。
【図面の簡単な説明】
【０００８】
【図１】本考案の実施例を示す正面図である。
【図２】本考案の実施例を示す側面図である。
【符号の説明】
【０００９】１丁番−電話機と耳かけを自由に倒れるように接続する部分
２突起−使用時に指で前に倒したり、戻したりする部分
【図１】
0003122638.tif 000003
【図２】
0003122638.tif 000004
(57)【要約】【課題】この考案の課題は屋外でも屋内でも全天候型の防水を施した防水型電池パックを提供するものである。【解決手段】箱型の筐体内部に電池及び保護回路等他の電子機器と電力の受給電できる電池機能を備える電池パックにおいて、前記筐体の側部で且つ他の電子機器との給受電に応じる位置に開けた電極穴と、該電極穴に前記筐体の内側から挿入配置された頭部が外部に露出される導電性部材とからなることを特徴とする防水型電池パック。【選択図】  図１
0003122683.tif 000002
【実用新案登録請求の範囲】
【請求項１】
箱形の筐体内部に電池及び保護回路等他の電子機器と電力の受給電できる電池機能を備える電池パックにおいて、前記筐体の側部で且つ他の電子機器との受給電に応じる位置に開けた電極穴と、該電極穴に前記筐体の内部から挿入配置され頭部が外部に露出される導電性部材とからなることを特徴とする防水型電池パック。
【請求項２】
前記電極穴は丸型で形成してなる請求項1記載の防水型電池パック。
【請求項３】
前記電極穴は角型で形成してなる請求項1記載の防水型電池パック。
【請求項４】
前記導電部材は弾力性を有し一部電気的絶縁性を有してなる請求項１記載の防水型電池パック。
【考案の詳細な説明】
【技術分野】
【０００１】
この考案は、例えば電子機器本体に取り付けられ電子機器本体に電力を受給電する防水型電池パックに関する。
【背景技術】
【０００２】
携帯型電子機器、例えば携帯電話機は充電タイプの電池が内蔵された電池パックが採用されている。この電池パックは設計段階で各種の条件テストを行うが、防水テストは重要な要件になっている。又小型化されしかも屋外で使用する等の使用形態が変化し全天候型が望まれている。
【０００３】
特に、水たまりに落とした場合、或いは雨降り、或いは台所での水仕事など防水型の携帯電話が市場から要請されている。携帯電話に使用される電池パックは内部に電池を収納しているので一層防水構造が要求されるが従来のものは防水構造としては不十分なものであった。特に電子機器と受給電を行う為の電極が外に露出するためこの箇所の浸水が多く認められる。
【０００４】
そして多く採用される構造はそれぞれの部材が組み合わされる箇所での組み合わせ密度を高くして浸水の防止を図る傾向が大多数で従って、特に防水といった特別な部材を用いた防水構造は採用されていない。従って、電池パックの防水構造の実現が早急に望まれている。
【特許文献１】特願平４−１３９３５８号公報
【考案の開示】
【考案が解決しようとする課題】
【０００５】
この考案の課題は屋外でも屋内でも全天候型の防水を施した防水型電池パックを提供するものである。
【課題を解決するための手段】
【０００６】
上記の課題を解決するために他の電子機器と受給電する電極部分に導電性の必要ならば弾性材を採用し、此れを電池パック本体の筐体の内側から穴を通して外部に露出させ此れに他の電子機器の電極を接続することによって、筐体自体を密閉できるようにして内部への浸水を防止できる防水型電池パックを提供するものである。
【考案の効果】
【０００７】
請求項１〜４によれば電極に導電性を有する部材を用いるので筐体内部への水分の浸入は防止できる、従って、電池が水分で浸水することがなくなる。
【考案を実施するための最良の形態】
【０００８】
（実施形態1）
以下この考案の実施例を図面１乃至図３に基づいて説明するが図１は電池パック本体１の上蓋を取り除いた形状で内部を示している。また図２は導電性部材の拡大図、図３は電池パック本体１の外観図である。プラスチック等で形成された電池パック本体１は上蓋と下蓋とから構成され両者は嵌合構造で組み合わされている。
【０００９】
この電池パック本体1の内部にはリチューム二次電池２及び保護回路３等が内蔵され、他の電子機器に電力の受給電を行うのに十分な機能を構成している。４は電池パック本体１の端面に露出した3個の電極で、該電極４は＋、−、アース極で他の電子機器との電力の受給電ができるようになっている。
【００１０】
該電極４は弾力性を有し導電性の部材で電池パック本体１の穴５から外部に露出する。電極４はこの場合コ字形で此れに突出する形状で形成され、前記穴５に強制的に挿入できる寸法に設定してある。またこの電極４は内部のリチュームなどの二次電池２に保護回路３とともに電気的に接続されている。
【００１１】
このように構成した電池パック本体1内にはリチューム二次電池２、保護回路３及び電極４が挿入配置されるが、電極４は弾性を有するので強制的に内部に圧入すると電池パック本体１内でそれぞれの部材の外に広がる力が働き電極４は穴５から外部に露出し、しかも、内壁で電池パック本体１に圧着し、水分が内部に浸入することがない。
【００１２】
前記電極２は導電性であるから他の電子機器の電極とは良好な導通状態を維持できる。このように電池パック本体１内には水分の浸水も無ければ部材も特別なものでないので価格的にも安価であり実用上の効果が大である。
【図面の簡単な説明】
【００１３】
【図１】この考案に係わる防水電池パックの分解斜視図。
【図２】図1の電極箇所の拡大図。
【図３】電池パック本体の一部斜視図。
【符号の説明】
【００１４】
１  電池パック本体
２  リチューム二次電池
３  保護回路
４  電極
５  穴
【図１】
0003122683.tif 000003
【図２】
0003122683.tif 000004
【図３】
0003122683.tif 000005
(57)【要約】【課題】包装容器における印刷面を増やすことにより包装容器の宣伝広告機能を向上させると共に包装容器の印刷をより見やすくする。【解決手段】箱状体１１における上面１１ａの相対向する二縁１２、１２にそれぞれカバー部１７、１７を開閉自在に枢着し、各カバー部１７の外面１７ａと内面１７ｂとを印刷面としたことを特徴とする包装容器。箱状体１１における各外面１１ａ〜１１ｄも印刷面である。包装容器は好ましくは紙製であるが、合成樹脂により形成しても差し支えない。【選択図】図１
0003122690.tif 000002
【実用新案登録請求の範囲】
【請求項１】
箱状体における上面の相対向する二縁にそれぞれカバー部を開閉自在に枢着し、各カバー部の外面と内面とを印刷面としたことを特徴とする包装容器。
【考案の詳細な説明】
【技術分野】
【０００１】
本考案は、ＣＤ、ＤＶＤ等の商品を収納する商品収納ケースの包装容器に関するものである。
【背景技術】
【０００２】
実用新案登録第３０２４２１９号公報は、コンパクトディスク用の商品収納ケースであるコンパクトディスク用収納ケースを開示している。
【０００３】
このコンパクトディスク用収納ケースは、使用済み後の焼却処分ないしは原料としての再利用が極めて容易であり、かつ、コンパクトディスクを損傷することなく収納する紙製のコンパクトディスク用収納ケースである。
【０００４】
また、コンパクトディスク用収納ケースとしては、合成樹脂性のケースも使用されている。
【０００５】
これらのコンパクトディスク用収納ケースは、表面に印刷を施すものではなく、印刷を施した包装容器内に収納される。
【０００６】
すなわち、コンパクトディスクを収納したコンパクトディスク用収納ケースは、更に包装容器内に収納された状態で販売される。
【０００７】
この包装容器としては、図４に示すものが従来より使用されている。図４に示す包装容器を以下「従来の包装容器」という。
【０００８】
従来の包装容器は、箱状体１における上面１ａの一縁２にカバー部３を開閉自在に枢着し、該カバー部３の外面３ａと内面３ｂとを印刷面としてなるものである。
【０００９】
従来の包装容器においては、カバー部３の外面３ａと内面３ｂの他、箱状体１における各外面１ａ〜１ｄ（外面１ａは前記上面と同じものである。）に印刷が施されている。
【特許文献１】実用新案登録第３０２４２１９号公報
【考案の開示】
【考案が解決しようとする課題】
【００１０】
本考案は、包装容器における印刷面を増やすことにより包装容器の宣伝広告機能を向上させると共に包装容器の印刷をより見やすくしようとしてなされたものである。
【課題を解決するための手段】
【００１１】
上記課題を解決するために、本考案は、下記の包装容器を提供する。
【００１２】
箱状体における上面の相対向する二縁にそれぞれカバー部を開閉自在に枢着し、各カバー部の外面と内面とを印刷面としたことを特徴とする包装容器。
【考案の効果】
【００１３】
本考案によれば、箱状体における上面の相対向する二縁にそれぞれカバー部を開閉自在に枢着し、各カバー部の外面と内面とを印刷面としたため、包装容器は、それぞれ外面と内面とを印刷面とした開閉自在のカバー部を二枚備えている。従って、本考案の包装容器においては、カバー部を一枚のみ備えた従来の包装容器に比べて印刷面が増えた結果、包装容器の宣伝広告機能が向上すると共に包装容器の印刷がより見やすいものとなる。
【考案を実施するための最良の形態】
【００１４】
符号１１に示すものは箱状体である。
【００１５】
図示の箱状体１１は、相対向する二端を開口して出し入れ口１３となしている。
【００１６】
符号１５に示すものは、ＣＤ、ＤＶＤ等の商品を収納する商品収納ケースである。
【００１７】
しかして、本考案においては、箱状体１１における上面１１ａの相対向する二縁１２、１２にそれぞれカバー部１７、１７を開閉自在に枢着し、各カバー部１７の外面１７ａと内面１７ｂとを印刷面となす。
【００１８】
箱状体１１における各外面１１ａ〜１１ｄ（外面１１ａは前記上面１１ａと同じものである。）も印刷面である。
【００１９】
図示の包装容器は紙製であるが、包装容器は合成樹脂により形成しても差し支えない。
【００２０】
図３は紙製の包装容器の展開図である。符号１９に示すものは糊代である。
【００２１】
なお、包装容器は、商品を内蔵した商品収納ケースを収納した状態で、好ましくは、フィルムによりシュリンク包装される。
【図面の簡単な説明】
【００２２】
【図１】本考案による包装容器の一例を示す斜視図である。
【図２】同上包装容器の正面図である。
【図３】同上包装容器の展開図である。
【図４】従来の包装容器を示す斜視図である。
【符号の説明】
【００２３】
１  箱状体
１ａ  外面（上面）
１ｂ  外面
１ｃ  外面
１ｄ  外面
２  縁
３  カバー部
３ａ  外面
３ｂ  内面
１１  箱状体
１１ａ  外面（上面）
１１ｂ  外面
１１ｃ  外面
１１ｄ  外面
１２  縁
１３  出し入れ口
１５  商品収納ケース
１７  カバー部
１７ａ  外面
１７ｂ  内面
１９  糊代
【図１】
0003122690.tif 000003
【図２】
0003122690.tif 000004
【図３】
0003122690.tif 000005
【図４】
0003122690.tif 000006
(57)【要約】【課題】  空き缶は、普通圧縮するのが困難である。使用後、手で圧縮できれば、非常に便利である。本考案は、使用後、簡単に圧縮できる缶を提供する。【解決手段】  アルミ缶等のプルトップ型の上面を持つ缶の胴部に多数の凹凸を設ける。凸部は、先端が多少丸くなっている。これを中味を飲んでしまった後、手で力を入れると、缶が圧縮される。これにより、缶が小さくなり、資源ゴミを出す時に簡単に扱うように出来ることになる。先端の多少丸みのある凸部は、数個必要であり、８個から２０個位が適当であると思われる。【選択図】図２
0003122661.tif 000002
【実用新案登録請求の範囲】
【請求項１】
プルトップ型の上面を持つ缶において、上端と下端の間の胴部に、多数の凹凸を設けた使用後簡単に圧縮できる缶。
【考案の詳細な説明】
【技術分野】
【０００１】  本考案は、ビール、コーヒー、茶等の缶に関し、より詳しくは、使用後簡単に手で圧縮できる缶に関する。
【背景技術】
【０００２】  従来より、ビール、コーヒー、茶等の缶は使用後そのまま捨てられており、又、家庭においても、資源ゴミとなり、その処置が甚だ面倒であった。自治体により異なるが、缶をつぶして、資源ゴミとして出すことを要求する自治体もある。
【特許文献１】  特許文献も殆んど無いと思われる。
【非特許文献１】  各社のパンフレット等を見たが殆んどないと思われる。
【考案の開示】
【考案が解決しようとする課題】
【０００３】  本考案は、上面がプルトップ型のアルミ等の缶で、使用後手で簡単に圧縮、縮小できる缶を提供する。
【課題を解決するための手段】
【０００４】  本考案は、プルトップ型の上面を持つ缶において、上端と下端の間の胴部に、多数の凹凸を設けた使用後簡単に圧縮できる缶に関する。
【考案の効果】
【０００５】  使用者は、缶の中身を飲んだ後、手で簡単に缶を圧縮し、捨てることが出来る。資源ゴミとして出す場合にも便利であり、屋外で捨てる時も、後の処置が簡単に済む。
【考案を実施するための最良の形態】
【０００６】  上面１は、普通のプルトップ型の缶の上面と同じである。下端２と、上端３の間の胴部に凹凸を設ける。凸部４と凹部５は、横から見ると、先端が多少丸く、凹凸を形成する。図面では８個の先端が多少丸い凸部と、７個の凹部を示す。
【産業上の利用可能性】
【０００７】  本考案は、日用品とも言える、アルミ缶等の缶を手で圧縮できるもので、利用可能性は大であり、広く用いられることと思われる。
【図面の簡単な説明】
【０００８】
【図１】  本考案の斜視図である。
【図２】  正面図である。
【符号の説明】
１  上面
２  下端
３  上端
４  凸部
５  凹部
【図１】
0003122661.tif 000003
【図２】
0003122661.tif 000004
(57)【要約】【課題】土嚢を作成する方法が容易でかつ、簡単に運搬移動できる土嚢製作器具を提供する。【解決手段】土嚢、袋体Ａをスタンド本体１に入れ、上部の金輪２の外側に折り返し、袋体の吊りベルトをスタンド枠体支柱１の調整止め金５（複数）のいずれかに掛け、支持し用土を投入する土嚢製作器具。【選択図】図１
0003122664.tif 000002
【実用新案登録請求の範囲】
【請求項１】
土嚢袋体を支えるスタンド本体支柱と袋体口縁を外側に折り返し、袋体を支える上部支持金輪及びスタンド本体を補強するリングからなる土嚢製作器具。
【請求項２】
前記スタンド本体支柱及び上部支持金輪に挿入し、支持されている土嚢は用土投入時にズリ下がる為、それを防止する吊り輪と調整止め金で構成されている請求項１記載の土嚢製作器具。
【考案の詳細な説明】
【技術分野】
【０００１】本考案は、道路の路肩決壊や法面崩落、河川堤防の決壊あるいは工事の仮締切等に使用する土嚢を製作する為の土嚢製作器具に関するものである。
【背景技術】
【０００２】従来、土嚢製作は袋体を人手で持ったり、簡単な支持具で支えたりしていたが、近年の大型土嚢化により、機械作業（ショベル、バックホー等）で用土を投入する事が多くなり、安全でかつ早く製作する為に器具が必要であった。【０００３】そこで例えば、特許文献１に示されるように、土嚢の袋体をスタンド枠体の上辺金輪に縁を外側に折り返し、開口部を上に向け用土を詰め込む器具や、実用新案登録文献１に示されるようなスタンド本体枠を３分割にして、上辺に縁をやはり外側に折り返し、開口部を上に向け用土を詰める器具も考案されている。
【特許文献１】特開２００３−１３４２１
【実用登録文献１】
実用登録第３１１５０７号（Ｕ３１１５０７５）
【考案の開示】
【考案が解決しようとしている課題】
【０００４】しかしながら特許文献１のものでは、用土を詰め込む際に投入する機械（ショベルやバックホー）の運転手の習熟度等によりバケツが必ずしも袋体の中心上にくるものでなく、従って投入された用土が片寄って投入される事が多々ある。この為袋体がズレたり、ブレたりしてスタンド下部に取付けてある脚輪部にせり出し、スタンドを吊り上げる際に袋体や脚輪部を傷つける恐れがある。又、実用新案登録文献１においては、枠体をその都度分割せねばならず、煩わしさと時間や手間等がかかると思われる。更にこの二つの製品は、袋体の上部を器具の外側に折り曲げる事が共通頂であるが、用土投入の際に土砂や岩石が土嚢袋体との摩擦により袋体をずり下げてしまう事もある。
【０００５】本考案は、上記問題を勘案して当社が平成１７年度宮崎県発注災害工事に於いて３０００袋の土嚢製作実績に基づき、改良したものを提供する事を目的とする。
【課題を解決する為の手段】
【０００６】本考案は、袋体を支える複数の支柱と袋体口縁を外側に折り返し支える支持金輪と、更に支柱を一体化して強固にする補強リング、ワイヤーを取り付けて吊り上げ、且つ袋体の吊りベルトの横ズレ防止を兼ねる吊り輪、又袋体のずれ防止用の調整止め金具という非常にシンプルなもので構成されている。
【考案の効果】
【０００７】本考案は、土嚢の袋体をスタンド枠体に挿入し、その開口の蓋を袋状に折り返し、口縁を上方に向けた状態にして土砂や岩石等の用土を詰め込んで、袋体からスタンド枠体を抜き取り、土嚢袋の蓋を閉鎖するものである。用土の詰め込み作業に多くの労力や手間がいらず作業効率が非常によい。又用土詰め込みの際、袋体がずり下がる心配もなく、吊り上げワイヤーも同時に取り付けておく為作業が早い。しかも枠体が円錐台形である為、抜き取り易く運搬も容易で保管に多くの場所を取らない。
【考案を実施するための最良の形態】
【０００８】図１を参照に、以下本考案の実施の形態を説明する。１はスタンド本体の支柱で複数本よりなっている。この支柱上部には支持金輪２を取付け、更に支柱には補強を行い強固にする為の補強リング３が設けられている。尚、この支柱本体は円錐台形の構造にして安定且つ袋体から抜き易くしている。【０００９】袋体▲Ａ▼をスタンド枠体に挿入し、用土投入際に袋体の吊りベルトの横ズレを防止し、且つスタンド枠体を吊り上げる為、支持金輪円周に等間隔で取り付けてある吊り輪４（複数個）と、袋体のずり下がり防止用の調整止め金５（複数個）から成り立っている。
またこの調整止め金５は、土嚢袋製作メーカーによって袋体吊り上げ用ベルトの長さがそれぞれ違う為、どのメーカーでも対応出来る様、複数個取付て調整出来るようにしてある。この調整止め金に掛けてある袋体吊りベルトには、用土の荷重がかかり、張っている状態だが止め金の角度が９０°以上の斜角になっている為、先の細い鉄ピン（工具類のシノ）等でコネ上げれば簡単に外れる。
尚、これら１〜５迄は各部材とも溶接され、堅牢な一体構造となっている。
【図面の簡単な説明】
【００１０】
【図１】本考案の用土詰め込みスタンドの枠体に土嚢を入れ、用土を詰め込む実施態様を示す断面図である
【図２】本考案の同上の平面図である
【図３】本考案のスタンド枠体の正面図である
【図４】本考案のスタンド枠体の平面図である
【図５】本考案のスタンド枠体の斜視図である
【図６】本考案の吊り輪の詳細図である
【図７】本考案の調整止め金の詳細図である
【図８】本考案の使用説明図である
【図９】本考案の用土詰め込み後スタンド枠体を吊り上げる状態図である
【図１０】本考案の土嚢袋の詳細図である
【符号の説明】
【００１１】１．支柱
２．支持金輪
３．補強リング
４．吊り輪
５．調整止め金
【図１】
0003122664.tif 000003
【図２】
0003122664.tif 000004
【図３】
0003122664.tif 000005
【図４】
0003122664.tif 000006
【図５】
0003122664.tif 000007
【図６】
0003122664.tif 000008
【図７】
0003122664.tif 000009
【図８】
0003122664.tif 000010
【図９】
0003122664.tif 000011
【図１０】
0003122664.tif 000012
(57)【要約】【課題】着脱が容易で長さが可変かつ衝突しても安全な車幅確認棒を提供する。【解決手段】乗用車のバックミラー１２に、吸盤１を用いてウレタン等柔らかい素材でできた棒を固定する。吸盤１と棒は軸２を介して結合されており角度が可変である。棒の根元３は深いひだ状の凹凸がついており衝撃を受けて曲がりやすくしておく。棒は外筒４と内棒５の入れ子になっており、目盛６を基準としてツマミガイド窓８に沿ってツマミ７を操作することで長さを調節できる。【選択図】図４
0003122668.tif 000002
【実用新案登録請求の範囲】
【請求項１】
乗用車の側面に装着して車幅確認を行うための棒を、ウレタンなど柔らかい素材で製作し、該棒の根元に深いひだ状の凹凸を形成して曲げやすい構造とし、該棒を吸盤又は磁石でボディ側面やバックミラー側面に着脱可能とし、該棒と吸盤又は磁石を軸で結合することで角度を可変とし、該棒を外筒と内棒の組み合わせとして、外筒に内棒を出し入れすることで伸縮可能とし、該棒に長さの目安として目盛を刻むことを特徴とする車幅確認棒。
【考案の詳細な説明】
【技術分野】
【０００１】
本考案は、着脱が容易で長さが可変かつ衝突しても安全な車幅確認棒に関するものである。
【背景技術】
【０００２】
乗用車の運転練習や、より大きな乗用車へ買い替えを検討する際、車幅確認のため、乗用車のボディ側面やバックミラー側面に水平な棒を取り付けることがある。この棒は、割り箸など木や竹を使って手作りし、粘着テープで固定する。
【０００３】
しかし、運転中に前述棒が歩行者、車両、建築物など固定物に接触すると、材質が硬いため危険であり、接触相手を負傷させたり、接触車両、物を傷つける恐れがある。
【０００４】
また、前述棒は粘着テープで固定するため、粘着テープを剥がしたあと、接着剤が乗用車のボディ側面やバックミラー側面に残り、洗っても落ちない場合がある。
【０００５】
前述棒は手作りのため、長さが固定であり、使いまわしが困難である。
【考案の開示】
【考案が解決しようとする課題】
【０００６】
解決しようとする問題点は、車幅確認のための棒が硬いため危険なこと、粘着テープを使用するため該棒の装着、取り外しが面倒でボディ側面やバックミラー側面に接着剤が残ること、該棒の長さが固定であるため使いまわしが困難なことである。
【課題を解決するための手段】
【０００７】
本考案は、乗用車の車幅確認のための棒を、ウレタンなど柔らかい素材で製作し、衝突時の衝撃を和らげるため、該棒の根元に深いひだ状の凹凸を形成して曲げやすい構造とし、該棒を吸盤又は磁石でボディ側面やバックミラー側面に着脱可能とし、取り付けを容易にするため該棒と吸盤又は磁石を軸で結合することで角度を可変とし、該棒を外筒と内棒の組み合わせとして、外筒に内棒を出し入れすることで伸縮可能とし、該棒に長さの目安として目盛を刻むことで、課題を解決している。
【考案の効果】
【０００８】
本考案の車幅確認のための棒は、ウレタンなど柔らかい素材で出来ており、根元が曲がりやすい構造なので、歩行者と接触しても負傷させる可能性が低く、他の車両、建築物と接触しても、相手を破損させる可能性が低いという利点がある。
【０００９】
また、吸盤又は磁石で乗用車のボディ側面やバックミラー側面に取り付けるため着脱自在で、接着剤が残ることがない。
【００１０】
車幅確認のための棒を伸縮自在とすることで、様々な車種へ使いまわしが可能である。該棒には目盛を刻んであるので、長さを調節する場合の目安とすることができる。
【考案を実施するための最良の形態】
【００１１】
車幅確認のための棒は、ウレタンなど柔らかい素材で製作し、外筒と内棒からなる伸縮可能な構造とし、長さを調節するためのツマミを持ち、長さの目安として目盛を刻み、根元に深いひだ状の凹凸を形成して曲げやすい構造とし、軸を用いて吸盤又は磁石に固定する。車幅確認のための棒は、乗用車のボディ側面やバックミラー側面で運転者が視認可能な位置に、吸盤又は磁石で固定する。
【実施例１】
【００１２】
以下添付図面に従って実施例を説明する。吸盤１に軸２を用いて、根元３、外筒４、内棒５、目盛６、ツマミ７、ツマミガイド窓８からなる棒を固定し、吸盤１と該棒の角度を軸２を介して可変とする。根元３、外筒４、内棒５、目盛６、ツマミ７、ツマミガイド窓８はウレタンなど柔らかい素材で製作し、対人対物の衝突で被害を与えにくくする。根元３は、深いひだ状の凹凸を形成することで曲がりやすくし、外筒４、内棒５が衝撃を受けた場合に根元３で衝撃を吸収する。外筒４、内棒５を、入れ子構造にすることで、伸縮を実現する。乗用車の走行中に振動による外筒４、内棒５のずれを抑えるため、ツマミ７、ツマミガイド窓８、外筒４、内棒５は互いに摩擦を発生させる。目盛６を基準として、ツマミ７を、ツマミガイド窓８に沿って移動させることで、所望の棒長を得る。
【００１３】
吸盤１を用いて乗用車のバックミラー１２に取り付ける。
【実施例２】
【００１４】
図３は図１の吸盤１を、磁石カバー９、磁石１０に置き換えたものである。
【図面の簡単な説明】
【００１５】
【図１】本考案の車幅確認棒の実施例を示す上面図である。
【図２】本車幅確認棒の側面図である。
【図３】本車幅確認棒の吸盤を磁石に置き換えた図である。
【図４】本車幅確認棒を乗用車のバックミラーに装着した図である。
【符号の説明】
【００１６】
１  吸盤
２  軸
３  根元
４  外筒
５  内棒
６  目盛
７  ツマミ
８  ツマミガイド窓
９  磁石カバー
１０  磁石
１１  乗用車のボディ
１２  乗用車のバックミラー
【図３】
0003122668.tif 000003
【図１】
0003122668.tif 000004
【図２】
0003122668.tif 000005
【図４】
0003122668.tif 000006